(57)【要約】装置１は、第１に、第１の出力端子９及び第２の出力端子１０を有する充電電流生成手段２を含む。第２に、第２の出力端子１０に接続される充電可能なエネルギー蓄電手段２を含み、該手段２は、充電電流ＩＬにより充電される。第３に、第２の出力端子１０に接続される負荷手段３を含み、該手段３は、エネルギー蓄電手段２からの電力が供給される。負荷手段３とエネルギー蓄電手段２は、第１の出力端子９と第２の出力端子１０の間に直列接続ＳＣを形成する。
2004508790.tif 000002
【特許請求の範囲】
【請求項１】
第１の出力端子と第２の出力端子を有し、充電電流を生成して前記第２の出力端子に供給するために配置される充電電流生成手段と、
前記第２の出力端子に接続され、前記充電電流により充電可能な蓄電手段を充電するための充電可能なエネルギー蓄電手段と、
前記第２の出力端子に接続され、前記エネルギー蓄電手段からの電力が供給される負荷手段とを含み、
前記負荷手段及び前記エネルギー蓄電手段は、前記第１の出力端子と前記第２の出力端子の間で直列接続を形成する、
ことを特徴とする装置。
【請求項２】
第１のスイッチング状態で、前記エネルギー蓄電手段から前記負荷手段への電力供給をオンにし、第２のスイッチング状態で、前記エネルギー蓄電手段から前記負荷への電力供給をオフにするために配置される第１のスイッチング手段が設けられ、
前記第１のスイッチング手段は、前記第１の出力端子と前記第２の出力端子の間の前記直列接続と並列に接続される、
ことを特徴とする請求項１記載の装置。
【請求項３】
充電電流生成手段は、前記第２の出力端子に接続されるダイオードを有し、
前記ダイオードのアップストリームに接続され、基準電位に接続される充電状態表示手段が設けられる、
ことを特徴とする請求項２記載の装置。
【請求項４】
前記充電状態表示手段は、発光ダイオードにより構成される、
ことを特徴とする請求項３記載の装置。
【請求項５】
前記第１のスイッチング手段の２つのスイッチング状態に依存して、前記充電状態表示手段をオン及びオフにスイッチするために配置される第２のスイッチング手段が設けられ、
前記第２のスイッチング手段はトランジスタにより構成される、
ことを特徴とする請求項４記載の装置。
【発明の詳細な説明】
【０００１】
［発明の分野］
本発明は、第１の出力端子と第２の出力端子を有し、充電電流を生成して第２の出力端子に供給するために配置される充電電流生成手段と、第２の出力端子に接続され、充電電流により充電可能な蓄電手段を充電するための充電可能なエネルギー蓄電手段と、第２の出力端子に接続され、エネルギー蓄電手段からの電力が供給される負荷手段とを含む装置に関する。
【０００２】
［発明の背景］
開始節で定義されたようなかかるタイプの装置は、たとえば、商用電源に独立な女性用電気カミソリ（型番ＨＰ２７５５／６０）及びトリマ（型番ＨＳ０８０）といった種類で出願人により販売されており、したがって公知である。
【０００３】
この公知の装置は、充電電流生成手段を有している。この手段は、電力供給ネットワークに接続されている作動中の充電器に装置があるとき、充電電流を生成してエネルギー蓄電手段に供給し、商用電源に独立な動作のためにエネルギー蓄電手段を充電するために配置される。この装置は、充電器から外されて、商用電源とは独立に動作する。
【０００４】
この充電電流生成手段は、基準電位に接続される第１の出力端子と第２の出力端子とを有しており、充電電流は、第２の出力端子を介して、第１の出力端子と第２の出力端子の間に接続されるエネルギー蓄電手段に伝達することができる。充電状態及び商用電源に独立な動作では、負荷への電力を供給するために、エネルギー蓄電手段が設けられる。
【０００５】
さらに、この装置は、負荷手段への電力の供給をオン及びオフするためのスイッチング手段を含んでおり、スイッチング手段と負荷手段は、第１の出力端子と第２の出力端子の間で直列接続を形成している。これにより、この直列接続は、第１の出力端子と第２の出力端子の間のエネルギー蓄電手段に並列に接続される。
【０００６】
この公知の装置には、以下の問題が存在する。負荷手段が作動しているとき、とりわけ、エネルギー蓄電手段が完全に放電されたとき、結果的に、充電電流が蓄電手段に伝達され、充電電流の大部分は、漏れ電流として悪影響にも負荷手段を通して流れ、実際には、エネルギー蓄電手段の充電が全く行われないことになる。これは、負荷手段がエネルギー蓄電手段よりもかなり小さな抵抗を有するためである。この装置のユーザにとって、この問題は、エネルギー蓄電手段の充電のために理解できない、更には受け入れられないほど長い充電時間を引き起こすことになる。
【０００７】
［発明の概要］
本発明の目的は、開始節で定義されたタイプに従う装置により上記問題点を解決することにあり、また、改善された装置を提供することにある。
前のパラグラフで定義された目的は、負荷手段とエネルギー蓄電手段が、第１の出力端子と第２の出力端子の間に直列接続を形成するという点で、開始節で定義された対応の装置により達成される。
【０００８】
本発明による特徴的な機能を設けることにより、負荷手段により形成される電流経路において漏れ電流が発生することが回避され、エネルギー蓄電手段に並列に流れることが回避される、ことが効果的に達成される。したがって、充電電流生成手段により充電電流がエネルギー蓄電手段に印加されるとき、エネルギー蓄電手段は、充電電流により信頼性高く充電される。
【０００９】
請求項２記載の特徴的な機能を設けることにより、第１のスイッチング手段の第１のスイッチング状態で充電電流が存在する場合、第１の出力端子と第２の出力端子の間に充電電流が現れることが回避され、さらに、第１のスイッチング手段の第２のスイッチング状態で充電電流が存在する場合、負荷手段の電圧降下と、エネルギー蓄電手段の時間に依存する可変電圧降下とにより形成される充電電圧が現れる、ことが効果的に達成される。
【００１０】
請求項３記載の特徴的な機能を設けることにより、充電電流が存在するとき、第１の出力端子と第２の出力端子の間に現れている充電電圧は、ダイオードの実質的に一定の順電圧により増加され、結果として、充電状態表示手段が動作するために必要な表示手段の電圧を生成することができる、ことが効果的に達成される。
【００１１】
さらに、充電電流生成手段がＡＣ供給電圧で供給される場合であっても、充電電流の方向を明確に定義することができ、少なくともＡＣ供給電圧の半波の間に、必要とされる表示手段の電圧を生成することができる、という利点が得られる。
【００１２】
本発明の装置によれば、充電状態表示手段は、たとえば、白熱ランプを介して実現される場合がある。しかし、請求項４に記載されるような特徴的な機能を適用することが効果的であることが解っている。これは、エネルギー節約型の充電表示手段を設けるためである。
【００１３】
請求項４に記載されるような特徴的な機能は、必要な表示手段の電圧を極端に正確なやり方で供給することができることを提供し、必要な表示手段の電圧が利用可能になると直ぐに、充電表示手段により放出される光の明るさが得られ、この明るさは、エネルギー蓄電手段が充電されているときであってもできるだけ一定である、という点で更なる利点が得られる。これにより、白熱ランプの場合のように、白熱ランプにより放出される光の可変の明るさにより、充電状態の進展を示す代わりに、エネルギー蓄電手段の実際の充電が示される。
【００１４】
さらに、適切な順電圧を有する発光ダイオードのタイプを適切に選択することにより、必要とされる表示手段電圧が提供される。エネルギー蓄電手段が十分に放電された場合であっても、充電電流が現れているとき、及びスイッチング手段の第２のスイッチング状態が存在するとき、エネルギー蓄電手段の充電の信頼性の高い指示が得られる。
【００１５】
請求項５記載の特徴的な機能を提供することにより、ＡＣ供給電圧の振幅が発光ダイオードのブロッキング電圧を超えるときであっても、充電状態のための表示手段は、発光ダイオードにより実現することができる。
本発明の上記定義された態様及び他の態様は、以下に記載される実施の形態の例から明らかとなり、実施の形態のこれらの例を参照して説明される。
【００１６】
［発明の実施の形態］
本発明は、添付図面に示される、本発明を限定するものではない実施の形態の２つの例を参照して更に記載される。
図１は、商用電源に独立な動作のために構成される装置１を示している。本装置１は、エネルギー蓄電手段２、負荷手段３、充電電流生成手段４及び第１のスイッチング手段５を含んでいる。
【００１７】
充電電流生成手段４は、供給手段６、第１のダイオード７及び第２のダイオード８を含んでいる。充電電流生成手段４は、第１の出力端子９及び第２の出力端子１０を更に有している。供給手段６は、充電器（図１に図示せず）が交流電磁場によりエネルギーを供給することができるように、本実施の形態では、空心コイルにより実現される。
【００１８】
交流場が供給手段６で存在するとき、基準電位ＧＮＤを基準にした供給電圧Ｕ１は、供給手段６から抽出することができる。供給手段６は、一方で第１の出力端子９に接続され、他方で第１のダイオード７に接続される。第１のダイオード７と第２の出力端子１０の間は、第２のダイオード８に接続されている。
【００１９】
第１のダイオード７は、供給電圧Ｕ１を半波整流するために配置されている。第２のダイオード８は、矢印Ａにより示されている充電電流ＩＬの方向を定義するために配置されており、充電電流ＩＬが第２のダイオード８に関して存在するときに、実質的に一定の第１の順電圧Ｕ４を抽出することができる。
【００２０】
順方向に関して、第１のダイオード７及び第２のダイオード８が配置されており、供給電圧Ｕ１を介して生成することができる充電電流ＩＬは、充電電流生成手段４により矢印Ａの方向において、第２の出力端子１０に供給することができる。充電電流生成手段４は、供給電圧Ｕ１が第２の出力端子１０に存在するとき、充電電流を生成及び伝達するために配置される。
【００２１】
負荷手段３は、本実施の形態では電気モータにより構成されている。電気モータはオーミック素子及び誘導素子を通常有しているので、フリーホイーリング（ｆｒｅｅｗｈｅｅｌｉｎｇ） ダイオード１１にとって、負荷手段３に並列に接続されることが必要である。しかし、フリーホイーリング ダイオード１１を省略した場合に、異なる負荷手段３を設ける場合がある。
【００２２】
エネルギー蓄電手段２は、本実施の形態では、第１のエネルギー蓄電池１２及び第２のエネルギー蓄電池１３により構成されている。エネルギー蓄電手段２は、充電電流ＩＬにより充電することができるように配置される。エネルギー蓄電手段２が充電されているとき、それらの電圧降下Ｕ３を該手段から得ることができる。
【００２３】
エネルギー蓄電手段２は、第１の出力端子９に直接接続され、負荷手段３を介して第２の出力端子１０に接続される。これにより、負荷手段３及びエネルギー蓄電手段２は、第１の出力端子９と第２の出力端子１０の間に直列接続ＳＣを形成する。
【００２４】
なお、エネルギー蓄電手段２は、１つのエネルギー蓄電池、すなわち第１のエネルギー蓄電池１２又は第２のエネルギー蓄電池１３により構成することもできる。エネルギー蓄電手段２は、たとえば、キャパシタ、ＮｉＭＨアキュムレータ、Ｌｉイオンアキュムレータ、Ｌｉポリマアキュムレータ、又は本実施の形態でのＮｉＣｄアキュムレータにより実現される場合がある。
【００２５】
第１のスイッチ手段５は、一方で第１の出力端子９に接続され、他方で第２の出力端子１０に接続される。したがって、第１のスイッチング手段５は、直列接続ＳＣに並列に接続されている。第１のスイッチング手段５は、エネルギー蓄電手段２から負荷手段３への電力供給をオンにするための第１のスイッチング状態に調節することができる。さらに、第１のスイッチング手段５は、エネルギー蓄電手段２から負荷手段３への電力供給をオフにするための第２のスイッチング状態に調節することができる。
【００２６】
第１のスイッチング手段５は、本実施の形態では、１つのメークコンタクト５Ｂを有するスイッチ５Ａにより構成されており、メークコンタクト５Ｂは、閉又は開状態を有する。したがって、メークコンタクト５Ｂが閉じているとき、第１のスイッチング手段５は、第１のスイッチング状態にあり、メークコンタクト５Ｂが開いているとき、第１のスイッチング手段５は、第２のスイッチング状態にある。
【００２７】
第１のスイッチング状態のとき、負荷手段３及びエネルギー蓄電手段２は、並列接続を形成し、第１の出力端子９は、第２の出力端子１０により短絡される。負荷手段３は、この並列接続が形成されるとき、エネルギー蓄電手段２からの電力を供給することができる。フリーホイーリング ダイオード１１は、第１のスイッチング手段５の第１のスイッチング状態において逆方向に偏向される。したがって、負荷手段３ではエネルギー蓄電手段の電圧降下Ｕ３が存在する。
【００２８】
装置１は、第１のドロッピング抵抗１４を更に含んでおり、第１のダイオード７と第２のダイオード８の間に接続されている。第１の出力端子９と第１のドロッピング抵抗１４の間には、充電状態表示手段１５が接続されており、本実施の形態では、発光ダイオード１５Ｌにより構成されている。したがって、充電状態表示手段１５は、第２のダイオードのアップストリームに接続され、基準電位ＧＮＤに接続されている。
【００２９】
充電状態表示手段１５は、エネルギー蓄電手段２の充電を示すために、最小表示電圧Ｕ５を有することが必要である。最小表示電圧Ｕ５は、本実施の形態では、発光ダイオード１５Ｌの順電圧により定義される。第１のドロッピング抵抗１４は、順電圧が存在するとき、発光ダイオード１５に関する電流制限作用を有する。
【００３０】
以下、図１で示される装置１について実施の形態の例を参照し、装置１の動作方法を説明する。実施の形態の例によれば、装置１は、商用電源とは独立なやり方で動作するものとする。装置１は、本実施の形態では、商用電源なしに動作することができる電気カミソリにより構成される。これにより、装置１に設けられているシェービング手段は、図示されていないが、モータにより構成される負荷手段３により駆動することができる。
【００３１】
装置１が商用電源に独立なやり方で動作するとき、エネルギー蓄電手段２は最初に充電され、その後、エネルギー蓄電手段２の電圧降下Ｕ３は、エネルギー蓄電手段２から得ることができると仮定される。さらに、第１のスイッチング手段５は、第１のスイッチング状態に調節され、これにより、負荷手段３はエネルギー蓄電手段２と共に並列接続を形成し、負荷手段３にはエネルギー蓄電手段２からの電力が供給されるものと仮定する。
【００３２】
装置１が商用電源とは独立して連続的に動作するとき、及びエネルギー蓄電手段２から負荷手段３への連続的な電力供給の後、最終的に、モータにより構成される負荷手段３によるシェービング手段の駆動が不可能になるまで、エネルギー蓄電手段２の電圧降下Ｕ３は連続的に減少する。
【００３３】
装置１のユーザは、本装置１の充電器に装置１を配置する。充電器が作動されるとき、供給手段により、エネルギーは、充電器から装置１に伝送される。これにより、基準電位ＧＮＤに対する供給電圧Ｕ１は、供給手段６から抽出することができる。供給電圧Ｕ１は、本実施の形態では、周波数５０ｋＨｚを有するＡＣ電圧により形成される。
【００３４】
第１のダイオードＤ７により、供給電圧Ｕ１の半波整流が行われ、供給電圧Ｕ１の１秒毎の半波、具体例では供給電圧Ｕ１の１秒毎の正の半波が第２のダイオード８に供給される。第２のダイオード８は、充電電流ＩＬを第２の出力端子１０に矢印Ａの方向で伝送する。
【００３５】
第１のスイッチング手段５は、第１のスイッチング状態に調節されているので、充電電流ＩＬは、第１のスイッチング手段５及び第１の出力端子９を通して流れ、電力供給手段６に戻る。しかし、第２のダイオード８で降下する第１の順電圧Ｕ４は、必要とされる表示電圧Ｕ５よりも小さい。結果として、充電状態表示手段１５を構成する発光ダイオード１５Ｌは、光を放出せず、したがって、充電状態表示手段１５は、エネルギー蓄電手段２の充電を表示しない。
【００３６】
ユーザは、エネルギー蓄電手段２の充電の表示がないことに気付き、その原因として、第１のスイッチング手段５のスイッチング状態が検出される。続いて、第１のスイッチング手段５は、ユーザにより第２のスイッチング状態に調節される。第２のスイッチング状態が生じたとき、第２の出力端子１０の充電電流生成手段４により供給される充電電流ＩＬは、直列接続ＳＣを形成している負荷手段３及びエネルギー蓄電手段２を介して流れ、電力供給手段６に戻る。
【００３７】
したがって、第１のスイッチング手段５を直列接続ＳＣに並列にスイッチすることにより、充電電流ＩＬ全体が負荷手段３を通してエネルギー蓄電手段２に流れ込むか、又は充電電流ＩＬが第２の出力端子１０から第１のスイッチング手段５を通して第２の出力端子９に流れ、電力供給手段６に戻ることが信頼性高く、かつ効果的に達成される。
【００３８】
エネルギー蓄電手段２が十分に放電されている場合であっても、その結果、非常に小さな電圧降下Ｕ３は、エネルギー蓄電手段２の充電の最初の数秒、及び適切には数分であっても、エネルギー蓄電手段２から得ることができ、負荷手段３の電圧降下Ｕ２が負荷手段３では既に存在する。したがって、エネルギー蓄電手段２の充電の開始で、負荷手段の電圧降下Ｕ２は、第１の出力端子９と第２の出力端子１０の間で抽出することができる充電電圧ＵＬを形成する。
【００３９】
しかし、負荷手段３の電圧降下Ｕ２は、フリーホイーリング ダイオード１１の順電圧により制限される。にもかかわらず、負荷手段の電圧降下Ｕ２と共に、第２のダイオード８の第１の順電圧Ｕ４により、必要な表示手段電圧Ｕ５に既に到達している。
【００４０】
これにより、以下の利点が提供される。十分に放電されたエネルギー蓄電手段２であっても、充電状態表示手段１５によりエネルギー蓄電手段２の充電に関する迅速かつ信頼性の高い表示が補償される。必要とされる表示手段電圧Ｕ５が到達するとすぐに、第１のドロッピング抵抗１４は、充電状態表示手段１５について電流制限を形成し、破壊から該手段を保護する。
【００４１】
充電の間のみが、負荷手段３の電圧降下Ｕ２とエネルギー蓄電手段２の電圧降下Ｕ３から形成される充電電圧ＵＬである。充電の後、エネルギー蓄電手段２にとって慣習的な期間が経過し、装置１は、ユーザにより充電器から再び取り出すことができ、商用電源に独立な動作のために使用することができる。
【００４２】
図２に示される装置１では、図１に示される装置１とは対照的に、供給手段６の代わりに、第１の供給端子６Ａ及び第２の供給端子６Ｂが設けられている。これにより、装置１には、供給電圧Ｕ１を直接供給することができる。図１で示された充電電流生成手段４の第１のダイオード７は、省略されている。
【００４３】
充電電流生成手段４は、第１の供給端子６Ａと第２のダイオード８の間に、第２のドロッピング抵抗１６を含んでいる。充電電流ＩＬが生じたとき、ドロッピング抵抗の電圧降下Ｕ７は、第２のドロッピング抵抗１６から抽出することができる。
【００４４】
充電状態表示手段１５は、本実施の形態では、第２のダイオード８と第２のドロッピング抵抗１６のアップストリームに接続されている。装置１は、トランジスタ１８により構成される第２のスイッチング手段１７、充電状態表示手段１５と第１の出力端子９の間に接続されるＮＰＮトランジスタ１８を更に含んでいる。
【００４５】
トランジスタ１８は、第１の出力端子９に接続されるエミッタＥを有している。トランジスタ１８は、充電状態表示手段１５に接続されるコレクタＣを有している。トランジスタ１８は、第３のドロッピング抵抗１９を介して、第２のドロッピング抵抗１６及び第２のダイオード８のアップストリームに接続されるベースＢを有している。
【００４６】
第３のドロッピング抵抗１９を通して流れるベース電流ＩＢにより、その必要とされるベース−エミッタ電圧ＵＢＥが存在するとき、トランジスタ１８は、ベースＢを介して、その導通状態に制御することができる。ベース−エミッタ電圧ＵＢＥが小さすぎるとき、トランジスタ１８はオフになる。したがって、充電状態表示手段１５は、第２のスイッチング手段１７を介して、基準電位ＧＮＤに接続することができる。
【００４７】
装置１は、トランジスタ１８のベースＢと第２の出力端子１０の間に接続される第３のダイオード２０を更に含んでいる。第３のダイオード２０のカソードは、第２の出力端子１０に接続され、第３のダイオード２０のアノードは、トランジスタ１８のベースＢに接続される。第３のダイオード２０は、実際にはショットキーダイオードであり、第３のダイオード２０が順方向で駆動されているとき、第２の順電圧Ｕ６は、第２のダイオード２０から抽出することができ、第２の順電圧Ｕ６は、必要とされるベース−エミッタ電圧よりも小さい値が選択される。
【００４８】
以下、図２で示される装置１について実施の形態の例を参照し、装置１の動作方法を説明する。本実施の形態の例によれば、装置１のエネルギー蓄電手段２は、装置１の商用電源に独立な動作の間に放電されることが仮定される。さらに、第１のスイッチング手段５は、第１のスイッチング状態に調節されており、ユーザは、装置１のための充電器に装置１を挿入することが仮定される。
【００４９】
充電器では、第１の供給端子６Ａと第２の供給端子６Ｂは、それぞれの充電器の端子と接触され、これにより、充電電流生成手段４には、供給電圧Ｕ１が供給される。供給電圧Ｕ１は、本実施の形態では、ＤＣ電圧である。供給電圧Ｕ１は、第２のドロッピング抵抗１６及び第２のダイオード８により、充電電流ＩＬを生成する。充電電流ＩＬは、第２の出力端子１０から第１のスイッチング手段５を介して第１の出力端子へと、矢印Ａの方向に流れる。
【００５０】
第１のスイッチング手段５の第１のスイッチング状態に依存して、第３のダイオード２０のカソードは、基準電位ＧＮＤに接続される。第３のドロッピング抵抗１９を介して、第３のダイオード２０は第１の供給端子６Ａに接続され、したがって、順方向に支えられる。これにより、第２の順電圧Ｕ６は、この第３のダイオードから抽出することができる。
【００５１】
また、トランジスタ１８のベースは、第３のドロッピング抵抗１９を介して、第１の供給端子６Ａに接続されている。これにより、トランジスタ１８のベース−エミッタによるダイオードは、順方向に支えられる。しかし、第３のダイオード２０の第２の順電圧Ｕ６は、必要なベース−エミッタ間電圧ＵＢＥよりも小さいので、トランジスタ１８又は第２のスイッチング手段１７のそれぞれは、ブロッキング状態に駆動される。したがって、発光ダイオード１５Ｌは、光を放出しない。
【００５２】
ユーザは、エネルギー蓄電手段２の充電の表示がないことに気付き、この気付いた結果として、第１のスイッチング手段５は、その第２のスイッチング状態にされる。この第２のスイッチング状態では、充電電流ＩＬ全体は、負荷手段３又はフリーホイーリングダイオード１１を介してエネルギー蓄電手段２にそれぞれ流れる。これにより、短時間の後、充電により時間につれて変化するエネルギー蓄電手段２の電圧降下Ｕ３は、エネルギー蓄電手段２から抽出することができる。
【００５３】
しかし、完全に放電されたエネルギー蓄電手段２の場合について、はじめに、負荷手段３の電圧降下Ｕ２のみを、第１の出力端子９と第２の出力端子１０の間で抽出することができる。第１の順電圧Ｕ４とドロッピング抵抗の電圧降下Ｕ７は、負荷手段の電圧降下Ｕ２に加えられて、供給電圧Ｕ１の値が得られる。
【００５４】
第１のスイッチング手段５の第２のスイッチング状態の場合、トランジスタ１８のベース−エミッタのダイオードに関して、第３のダイオード２０の電圧制限作用はない。これにより、第３のドロッピング抵抗１９と第２のドロッピング抵抗１６の抵抗値が適切に選択されているとき、又は発光ダイオード１５Ｌが表示手段電圧Ｕ５に関して適切に選択されている場合、十分に放電されたエネルギー蓄電手段２であっても、エネルギー蓄電手段２の充電に関する信頼性の高いかつ即座の表示が続くことになる。
【００５５】
以下では、図２において示された装置１についての実施の形態の更なる例を参照して、装置１の機能が説明される。本実施の形態のこの例によれば、供給電圧Ｕ１がＡＣ電圧により形成されていることが仮定される。本実施の形態のこの例によれば、第２のダイオード８は、半波整流器としての役割を追加的に果たす。
【００５６】
第２のスイッチング手段１７又はトランジスタ１８のそれぞれは、供給電圧Ｕ１の負の半波が生じたときに、充電状態表示手段１５のための過電圧保護としての役割を果たす。供給電圧Ｕ１の正の半波について、装置１の動作状態は、上記実施の形態の例を参照して既に十分に記載されている。
【００５７】
エネルギー蓄電手段２の構成は、装置１から集めてもよいことが認められる。
エネルギー蓄電手段２及び負荷手段３は、必要であれば、その並列接続されたフリーホイーリング ダイオード１１で置き換えることができ、この交換された状態でも直列接続ＳＣを形成することが認められる。
【図面の簡単な説明】
【図１】
本発明の実施の形態の第１の例による配置のブロック図である。
【図２】
本発明の実施の形態の第２の例による配置を図１と同様に示すブロック図である。
【国際公開パンフレット】
2004508790.tif 000003
2004508790.tif 000004
2004508790.tif 000005
2004508790.tif 000006
2004508790.tif 000007
2004508790.tif 000008
2004508790.tif 000009
2004508790.tif 000010
2004508790.tif 000011
2004508790.tif 000012
2004508790.tif 000013
2004508790.tif 000014
2004508790.tif 000015
2004508790.tif 000016
【国際公開パンフレット（コレクトバージョン）】
2004508790.tif 000017
【国際調査報告】
2004508790.tif 000018
2004508790.tif 000019
2004508790.tif 000020